(57)【要約】【課題】本発明は簡単な施工作業で組立てることが出来、特にコーナー部が強固で電波シールド性の良い電波シールドルームを目的とする。【解決手段】帯板５ａの片面に開口部の巾が狭い溝レール５ｂを起立突設したジョイント基材５と、複数の孔９が並列して設けられたジョイント板６と、複数のネジ孔１０が並列して設けられた前記溝レール５ｂの中に挿入し得る細帯板７と及びボルト８との組合せよりなるジョイント部材４を用いて、電波シールド壁２とこの電波シールド壁２と同一の壁厚を有するＬ型の電波シールドコーナー壁３とを適宜組合せて連結して構成した電波シールドルーム１の構造である。【選択図】　　　　図１
2004100242.tif 000002
【特許請求の範囲】
【請求項１】
シールドルームの起立壁、天井壁或は床壁に用いられる複数の電波シールド壁と該電波シールド壁とほぼ等しい壁厚を有するＬ型の電波シールドコーナー壁を順に組合せ連結して構成する電波シールドルームに於て、帯板の片面中央に開口縁が巾狭になった溝レールを起立突設してなるジョイント基材と、複数の孔が並列して穿設されたジョイント板と、複数のネジ孔が並列して穿設された前記ジョイント基材の溝レール内に挿入して係止し得るジョイント細帯板と及びボルトとよりなるジョイント部材を介して前記複数の電波シールド壁と電波シールドコーナー壁とを相互に連結して構成したことを特徴とした電波シールドルーム。
【請求項２】
前記ジョイント部材のジョイント板に取付けたボルト或はクリップ等を介して電波シールドルームの室内側に、磁気シールド用積層ケイ素鋼板、壁材取付用の胴縁等を取付けて構成したことを特徴とした請求項１の電波シールドルーム。
【請求項３】
帯板の片面中央に開口縁が巾狭になった溝レールを起立突設してなるジョイント基材と、複数の孔が軸方向に並列して穿設されたジョイント板と、複数のネジ孔が軸方向に並列して穿設された前記ジョイント基材の溝レール内に挿入して係止し得るジョイント細帯板と及びボルトとを組合せてなるジョイント部材。
【発明の詳細な説明】
【０００１】
【発明の属する技術分野】
本発明はＭＲＩ撮影室等の電波シールドルーム及びそのシールドルームを構成する際に用いられるジョイント部材に係り、特に特定の形状を有するジョイント基板、ジョイント板、ジョイント細帯板、ボルト等の組合せよりなるジョイント部材を用いて電波シールド壁と電波シールドコーナ壁を連結してなるシールドルーム及びシールド壁を相互に連結すると共に内装材を簡単に取付けることが出来るジョイント部材に関するものである。
【０００２】
【従来の技術】
従来の電波シールドルームの構成としては、例えば、図４乃至図６に例示する構造が一般的に用いられていた。図４に示す電波シールドルーム５１の構成に当っては、外側円弧状パネル５２と内側円弧状パネル５３とこれ等を相互に連結するボルト５４とよりなるコーナージョイント部材５５を使用し、電波シールドルーム５１の電波シールド壁５６、電波シールド天井壁５７及び電波シールド床壁５８で形成される電波シールドルーム５１の各コーナー部に前記コーナージョイント部材５５を配置し、各コーナー部に集って来る各電波シールド壁５６、電波シールド天井壁５７及び電波シールド床壁５８をこのコーナージョイント部材５５で相互に連結することによって、電波シールドルーム５１を構成していた。
【０００３】
図５に示す電波シールドルーム５９の構成に当っては、外側翼状パネル６０、内側翼状パネル６１及び外側翼状パネル６０の内面に起立されたナット６２に螺合し得るボルト６３とよりなるコーナージョイント部材６４を使用し、前記図４の電波シールドルーム５１と同様に、各コーナー部に集って来る電波シールド壁５６、電波シールド天井壁５７及び電波シールド床壁５８をこのコーナージョイント部材６４で相互に連結することによって、電波シールドルーム５９を構成していた。
【０００４】
さらに、図６に示す電波シールドルーム６５は、図に示すように、内側隅部に所定巾の切欠部６６を有する電波シールド壁５６、電波シールド天井壁５７及び電波シールド床壁５８を使用し、これ等の壁５６、５７、５８の切欠部６６内にＬ型ジョイント材６７或はＩ型ジョイント材６８を挿入し、これ等の壁５６、５７、５８の隅部とＬ型ジョイント材６７、或はＩ型ジョイント材６８とをボルト６９とナット７０で連結することによって、電波シールドルーム６５を構成していた。
【０００５】
【発明が解決しようとする課題】
然るに、図４乃至図６に示す電波シールドルーム５１、５９、６５の場合には、夫々のルームのコーナー部が円弧状パネル５２、５３を組合せたコーナージョイント部材５５、翼パネル６０、６１を組合せたコーナージョイント部材６４、或はＬ型ジョイント材６７で形成されているので、これ等のルームのコーナー部の壁厚が周りの壁５６、５７、５８の壁厚より薄くなり、強度的にも弱くかつ電波シールドにも問題があった。
【０００６】
また、図４及び図５に示す電波シールドルーム５１、５９の場合には、各壁５６、５７、５８を夫々コーナー部に於てコーナージョイント部材５５、６４で連結するようにしたので、軸方向に長い壁５６、５７、５８を使用しなければならない等の問題があった。
【０００７】
さらに、図６に示す電波シールドルーム６５に於ては、各壁５６、５７、５８を夫々直線部分で連結することは可能であるが、各壁５６、５７、５８の内側隅部に切欠部６６を設けなければならず、壁５６、５７、５８の隅部の強度が弱くなると共に、特別の加工を必要とするのでコスト高になる問題があった。
【０００８】
従来の公知技術の中の一部に、前述のような電波シールドルームのコーナー部をコーナージョイント部材で連結する構造の他に、電波シールドルームの平坦な壁面の途中で連結することが出来るようにした平面ジョイント部材の技術も知られている。しかし、この平坦な壁面の途中で連結するための平面ジョイント部材は構成が複雑であると共に、この平面ジョイント部材を用いて内装材を簡単に取付固定することが困難である問題もあった。
【０００９】
本発明に係る電波シールドルームは前述の従来の多くの問題点に鑑み開発された全く新しい技術であって、特に帯板の片面中央に溝レールを設けたジョイント基材と、複数の孔が設けられたジョイント板と、前記溝レール内に挿入して係止し得るジョイント細帯板とボルトとを組合せたジョイント部材を使用し、シールドルームの起立壁、天井壁、床壁に用いられる電波シールド壁と電波シールドコーナー壁とを順に組合せて相互に連結することによって構成した電波シールドルームに関する技術である。
【００１０】
【課題を解決するための手段】
本発明に係る電波シールドルームは、前述の従来の問題点を根本的に改善した技術であって、その第１発明の要旨は、シールドルームの起立壁、天井壁或は床壁に用いられる複数の電波シールド壁と該電波シールド壁とほぼ等しい壁厚を有するＬ型の電波シールドコーナー壁を順に組合せ連結して構成する電波シールドルームに於て、帯板の片面中央に開口縁が巾狭になった溝レールを起立突設してなるジョイント基材と、複数の孔が並列して穿設されたジョイント板と、複数のネジ孔が並列して穿設された前記ジョイント基材の溝レール内に挿入して係止し得るジョイント細帯板と及びボルトとよりなるジョイント部材を介して前記複数の電波シールド壁と電波シールドコーナー壁とを相互に連結して構成したことを特徴とした電波シールドルームである。
【００１１】
前述の本発明に係る電波シールドルームは、ジョイント基材、ジョイント板、ジョイント細帯板及びボルトよりなるジョイント部材を用いて電波シールド壁と電波シールドコーナー壁とを相互に連結するようにしたので、電波シールドルームを簡単に組立構成することが出来る。従って、各部材をコンテナーにコンパクトに積込むことが出来、かつ現場で簡単に組立構成することが出来る。
【００１２】
特に、電波シールド壁と電波シールドコーナー壁との連結或は電波シールド壁の相互の連結が一種類のジョイント部材を用いて簡単に施工できるので、全体の組立が容易であり、かつ長さの短い電波シールド壁を用いることが出来る。
【００１３】
更に、電波シールド壁と同じ壁厚を持ったＬ型の電波シールドコーナー壁を用意しておいて使用することによって、シールドルームのコーナー壁を周りの起立壁、天井壁及び床壁と同一の壁厚に構成することが出来、コーナー部を強固にすると共に電波シールドをより確実にすることが出来る。
【００１４】
本発明に係る電波シールドルームの第２発明の要旨は、前記ジョイント部材のジョイント板に取付けたボルト或はクリップ等を介して電波シールドルームの室内側に、磁気シールド用積層ケイ素鋼板、壁材取付用の胴縁等を取付けて構成したことを特徴とした第１発明の電波シールドルームである。
【００１５】
前述の第２発明に於ては、第１発明に於て用いられたジョイント部材を有効に利用して電波シールドルームの室内側に磁気シールド用積層ケイ素鋼板を積層してシールドルーム内を磁気シールドすることが出来る。また、クリップを介して胴縁を取付けることによって、胴縁に沿って室内装飾壁を構成することが出来、かつ電波シールド壁と室内装飾壁との間に配線、配管用の空間を簡単に設けることが出来る。
【００１６】
本発明に係るジョイント部材の要旨は、帯板の片面中央に開口縁が巾狭になった溝レールを起立突設してなるジョイント基材と、複数の孔が軸方向に並列して穿設されたジョイント板と、複数のネジ孔が軸方向に並列して穿設された前記ジョイント基材の溝レール内に挿入して係止し得るジョイント細帯板と及びボルトとを組合せてなるジョイント部材である。
【００１７】
本発明のジョイント部材は、ジョイント基材とジョイント板とジョイント細帯板と及びボルトとで構成したので、これ等を順に組立てることによって、壁材と壁材との端部或は壁材とコーナー壁との端部を挟持して相互に連結することが出来る。また、本発明のジョイント部材は、内装用の胴縁を固定するためのクリップや前記積層ケイ素鋼板を固定するためのボルト等を簡単に取付けることが出来る。
【００１８】
前記ジョイント基材には開口部が巾狭になった溝レールが設けられているので、該溝レール内にはジョイント細帯板を横方向からスライド可能に挿入することが出来、かつ該ジョイント細帯板とジョイント板とには軸方向に複数のネジ孔或は孔が並列して設けられているので、任意の位置のネジ孔と孔とを選択してボルトを挿通することによって、ジョイント部材を簡単に組立てることが出来、かつこれ等の組合せよりなるジョイント部材のジョイント基材とジョイント板との間に電波シールド壁或は電波シールドコーナー壁の端部を挟持することが出来る。
【００１９】
【発明の実施の形態】
図により本発明に係る電波シールドルーム及びジョイント部材について、その一実施例を具体的に説明すると、図１は本発明に係る電波シールドルームの要部の横断面図、図２は図１の電波シールドルームの要部の縦断面図、図３は本発明に係るジョイント部材の説明図である。
【００２０】
図１乃至図３に於て、１は本発明に係る電波シールドルームであって、複数の電波シールド壁２と電波シールドコーナー壁３とをジョイント部材４で連結することによって構成されている。
【００２１】
前述の電波シールド壁２は、電波シールドルーム１の起立壁、天井壁或は床壁を構成することが出来る所定の巾と長さとを有するパネルであって、ハニカムコア（特に起立壁や天井壁に使用）或はパーティクルボードコア（特に床壁に使用）等の表面に金属板を積層することによって構成されている。また、電波シールドコーナー壁３は、前記電波シールド壁２の場合と同一の肉厚を有するＬ型パーティクルボードコアの表面に金属板を積層することによって構成されている。
【００２２】
前記ジョイント部材４は、アルミ材を押出成形して作ったジョイント基材５、鋼材、ステンレス材で作成したジョイント板６とジョイント細帯板７及びボルト８より構成されている。該ジョイント基材５は帯板５ａの片面中央軸方向に開口縁がそれに続く内部より巾狭になった溝レール５ｂを起立突設することによって形成されている。
【００２３】
前記ジョイント板６は、前記ジョイント基材５の帯板５ａとほぼ等しい巾、長さ及び肉厚を有する帯板であって、その中央部にはボルト８を挿通し得る複数の孔９が軸方向に並列して穿設されている。
【００２４】
前記ジョイント細帯板７は、ジョイント基材５の溝レール５ｂ内に摺動自在に挿入し得る構造であって、その巾は該溝レール５ｂの内部の溝巾より小さく、かつその開口縁の巾より大きな巾を持って形成されており、その中央部にはボルト８を螺合し得る複数のネジ孔１０が軸方向に並列して穿設されている。
【００２５】
本発明のジョイント部材４は、前述のような構成部品より構成されるので、これ等を順に組立てた場合、即ちジョイント細帯板７をジョイント基材５の溝レール５ｂに横方向から挿入し、ジョイント板６を溝レール５ｂの開口部に当接し、ボルト８をジョイント板６の孔９に挿通してジョイント細帯板７のネジ孔１０に螺合して組立てた場合には、ジョイント基材５の帯板５ａとジョイント板６との間に前記電波シールド壁２或は電波シールドコーナー壁３の端部或は側部を挟み込んで固定して、電波シールド壁２或は電波シールドコーナー壁３を夫々連結することが出来るように構成されている。
【００２６】
従って、前述のジョイント部材４を使用することによって、複数の電波シールド壁２を相互に連結したり、或は電波シールド壁２に電波シールドコーナー壁３を連結したりすることが極めて簡単に実施出来る。また、前記ジョイント細帯板７及びジョイント板６は、ジョイント基材５の溝レール５ｂに沿って移動出来、しかもジョイント細帯板７及びジョイント板６には夫々ボルト８用のネジ孔１０或は孔９が軸方向に並列して設けられているので、任意のネジ孔１０或は孔９にボルト８を適合させることによって、電波シールド壁２或は電波シールドコーナー壁３を有効な位置で強固に挟持して連結することが出来る。
【００２７】
本発明に於ては、電波シールド壁２と同一の壁厚を有するＬ型の電波シールドコーナー壁３を予め用意し、この電波シールドコーナー壁３を電波シールドルーム１の各コーナー部に使用するので、電波シールドルーム１の各コーナー部を全て電波シールド壁２の壁厚と同一の壁厚に構成することが出来る。従って、電波シールドルーム１の各コーナー部を強固にすると共に、従来の電波シールドルームと比較して、電波シールドの効率を良くすることが出来る。
【００２８】
さらに、電波シールドコーナー壁３は電波シールド壁２と同一の壁厚を有しているので、ジョイント部材４を介して電波シールドコーナー壁３を電波シールド壁２に簡単に連結することが出来る。また、並列された電波シールド壁２を相互に連結する場合にも、同一のジョイント部材４を用いて同一の仕様で効率よく施工することが出来る。
【００２９】
図１に示す如く、本発明に係る電波シールドルーム１の内部に磁気シールドをする場合には、例えば図１に示す如く、ジョイント部材４のジョイント板６にボルト１１を溶接して起立し、このボルト１１とこれに螺合されるナット１２を利用することによって、電波シールドルーム１の内周面に磁気シールド用のケイ素鋼板層１３を簡単に取付けて磁気シールドをすることが出来る。
【００３０】
図１及び図２に示す如く、電波シールドルーム１の内壁に胴縁１４を取付ける場合には、Ｌ型状クリップ１５をボルト８でジョイント部材４に取付け、このクリップ１５を介して胴縁１４を電波シールドルーム１の内壁に取付けることが出来る。
【００３１】
前述のように電波シールドルーム１の内壁に取付けられた胴縁１４には、図に示すように室内装飾壁１６を取付けて構築することが出来る。前述のように、胴縁１４は所定の高さを有するクリップ１５を介して電波シールドルーム１のジョイント部材４に取付けられているので、電波シールドルーム１の内壁と室内装飾壁１６との間にはクリップ１５の高さに対応した空間を形成することが出来る。この空間は配管、配電、配線等の空間として有効に利用することが出来る。
【００３２】
【発明の効果】
本発明に係る電波シールドルームに於ては、ジョイント基材、ジョイント板、ジョイント細帯板及びボルトよりなるジョイント部材を用いて電波シールド壁と電波シールドコーナー壁とを相互に連結するようにしたので、電波シールドルームを簡単に組立構成することが出来る効果を有している。従って、輸出向けシールドルームに於ても、各部材をコンテナーにコンパクトに積込むことが出来、かつ現地で簡単に組立構成することが出来る効果がある。
【００３３】
特に、電波シールド壁と電波シールドコーナー壁との連結或は電波シールド壁の相互の連結が一種類のジョイント部材を用いて簡単に施工できるので、全体の組立が容易であり、かつ長さの短い電波シールド壁を用いることが出来る効果を有している。
【００３４】
更に、電波シールド壁と同じ壁厚を持ったＬ型の電波シールドコーナー壁を用意しておいて使用することによって、シールドルームのコーナー壁を周りの起立壁、天井壁及び床壁と同一の壁厚に構成することが出来、コーナー部を強固にすると共に電波シールドをより確実にすることが出来る効果を有している。
【００３５】
本発明に於ては、ジョイント部材を有効に利用して電波シールドルームの室内側に磁気シールド用積層ケイ素鋼板を積層してシールドルーム内を磁気シールドすることが出来る効果を有している。また、クリップを介して胴縁を取付けることによって、胴縁に沿って室内装飾壁を構成することが出来、かつ電波シールド壁と室内装飾壁との間に配線、配管用の空間を簡単に設けることが出来る効果も有している。また、本発明のジョイント部材は、内装用の胴縁を固定するためのクリップや前記積層ケイ素鋼板を固定するためのボルト等を簡単に取付けることが出来る効果もある。
【００３６】
本発明のジョイント部材は、ジョイント基材とジョイント板とジョイント細帯板と及びボルトとで構成したので、これ等を順に組立てることによって、壁材と壁材との端部或は壁材とコーナー壁との端部を挟持して相互に連結することが出来る効果を有している。
【００３７】
前記ジョイント基材には開口部が巾狭になった溝レールが設けられているので、該溝レール内にはジョイント細帯板を横方向からスライド可能に挿入することが出来、かつ該ジョイント細帯板とジョイント板とには軸方向に複数のネジ孔或は孔が並列して設けられているので、任意の位置のネジ孔と孔とを選択してボルトを挿通することによって、ジョイント部材を簡単に組立てることが出来、かつこれ等の組合せよりなるジョイント部材のジョイント基材とジョイント板との間に電波シールド壁或は電波シールドコーナー壁の端部を挟持することが出来る効果を有している。
【図面の簡単な説明】
【図１】本発明に係る電波シールドルームの要部の横断面図である。
【図２】図１の電波シールドルームの要部の縦断面図である。
【図３】本発明に係るジョイント部材の説明図である。
【図４】第１従来例の電波シールドルームの要部を示す断面説明図である。
【図５】第２従来例の電波シールドルームの要部を示す断面説明図である。
【図６】第３従来例の電波シールドルームの要部を示す断面説明図である。
【符号の説明】
１　　　　…電波シールドルーム
２　　　　…電波シールド壁
３　　　　…電波シールドコーナー壁
４　　　　…ジョイント部材
５　　　　…ジョイント基材
５ａ　…帯板
５ｂ　…溝レール
６　　　　…ジョイント板
７　　　　…ジョイント細帯板
８　　　　…ボルト
９　　　　…孔
１０　　…ネジ孔
１１　　…ボルト
１２　　…ナット
１３　　…ケイ素鋼板層
１４　　…胴縁
１５　　…クリップ
１６　　…室内装飾壁
５１　…電波シールドルーム
５２　…外側円弧状パネル
５３　…内側円弧状パネル
５４　…ボルト
５５　…コーナージョイント部材
５６　…電波シールド壁
５７　…電波シールド天井壁
５８　…電波シールド床壁
５９　…電波シールドルーム
６０　…外側翼状パネル
６１　…内側翼状パネル
６３　…ボルト
６４　…コーナージョイント部材
６５　…電波シールドルーム
６６　…切欠部
６７　…Ｌ型ジョイント材
６８　…Ｉ型ジョイント材
６９　…ボルト
７０　…ナット
【図１】
2004100242.tif 000003
【図２】
2004100242.tif 000004
【図３】
2004100242.tif 000005
【図４】
2004100242.tif 000006
【図５】
2004100242.tif 000007
【図６】
2004100242.tif 000008